(57)【要約】【課題】取り付け施工後の縦樋の滑り落ちによる接合部の外れを防止する縦樋支持構造を提供する。【解決手段】本発明の縦樋支持構造は、建物の外壁１３に固定された縦樋支持具１８とそれに支持された縦樋１６を有するものであって、縦樋１６の、縦樋支持具１８の腕部１９ｂ，１９ｂ上端に接する位置に縦樋係止部材１９が接着固定されている。【選択図】図３
2009281071.tif 000002
【特許請求の範囲】
【請求項１】
建物の外壁に固定された縦樋支持具とそれに支持された縦樋を有する縦樋支持構造であって、
前記縦樋の、前記縦樋支持具の腕部上端に接する位置に縦樋係止部材が接着固定されていることを特徴とする縦樋支持構造。
【発明の詳細な説明】
【技術分野】
【０００１】
建物の外壁に固定された縦樋支持具により縦樋を支持させる縦樋支持構造に関する。
【背景技術】
【０００２】
従来から、建物の外壁に固定された縦樋支持具により縦樋を支持させる縦樋支持構造が知られている（特許文献１等参照）。
【０００３】
図６（ａ）において、符号１は建物の屋根パネル、符号２は鼻隠し板、符号３は軒天井板、符号４は建物の外壁である。
【０００４】
鼻隠し板２には軒樋支持具５により軒樋６が固定され、軒樋６にはソケット７とエルボ８とを介して呼び樋９が接続され、呼び樋９の下流側端部にはターンエルボ１０が接続されている。
【０００５】
ターンエルボ１０は上部材１０ａと下部材１０ｂとによって構成されており、上部材１０ａと下部材１０ｂとは回転可能かつ係脱可能に結合されている。
【０００６】
呼び樋９の下流側端部はターンエルボ１０の上部材１０ａに接着嵌合されており、下部材１０ｂには縦樋１１の上端部が嵌合接続されている。
【０００７】
縦樋１１は外壁４に沿って地面に垂直に配設されており、縦樋１１の配設方向に沿って外壁４に固定された複数の縦樋支持具１２によって支持されている。
【０００８】
図６（ｂ）に示すように、縦樋１１は、その伸びる方向横断面形状が略トラック形状を呈しており、外側に膨出した一対の対向する周壁の中央にはそれぞれ嵌合溝１１ａ，１１ａが形成されている。
【０００９】
また、縦樋支持具１２は、ネジ（図示省略）により外壁４に固定された固定部１２ａと、固定部１２ａから延びる一対の腕部１２ｂ，１２ｂとを有しており、腕部１２ｂ，１２ｂの先端部には爪部１２ｃ，１２ｃが対向して内側に向かって延びている。
【００１０】
腕部１２ｂ，１２ｂは適度な弾性を有しており、爪部１２ｃ，１２ｃの間の隙間に縦樋１１を押し込むと、腕部１２ｂ，１２ｂは縦樋１１によって押し広げられて拡開し、爪部１２ｃ，１２ｃが縦樋１１の嵌合溝１１ａ，１１ａにそれぞれ嵌合するので、腕部１２ｂ，１２ｂが縦樋１１を抱え込んだ状態で縦樋１１は縦樋支持具１２に支持される。
【００１１】
また、この他に特許文献１には、縦樋の外周全体を腕部により包囲した状態で支持する縦樋支持具が記載されている。
【特許文献１】特開２００２−２９４９５３号公報
【発明の開示】
【発明が解決しようとする課題】
【００１２】
ところで、従来例において、縦樋１１の垂直方向の支持は、縦樋１１と縦樋支持具１２との当接面における摩擦力によりなされているので、縦樋１１が振動したり熱収縮を繰り返すうちに自重によって縦樋支持具１２から滑り、図６（ｃ）に示すように設置当初の位置から下方にずれるという問題があった。
【００１３】
縦樋１１が下方にずれると、縦樋１１上部に接続されたターンエルボ１０の回転嵌合部１０ｃが外れて、ターンエルボ１０の上部材１０ａと下部材１０ｂとの隙間から雨水が漏れてしまうおそれがあった。
【００１４】
そこで、縦樋１１が縦樋支持具１２から滑り落ちないように、縦樋１１の取付施工時に縦樋１１と縦樋支持具１２とを接着固定することも可能であるが、縦樋１１を縦樋支持具１２に直接接着すると、縦樋１１を縦樋支持具１２から外すことができなくなり、雨樋のメンテナンス作業が困難になる。
【００１５】
また、仮に縦樋１１と縦樋支持具１２とを接着するとしても、縦樋１１の垂直方向の位置決めのために、縦樋１１と縦樋支持具１２との当接部に接着剤を塗布した後に位置調整を行うこととなり、縦樋支持具１２と接触した縦樋１１の表面に接着剤が付着して縦樋１１の表面を汚してしまう。
【００１６】
一方、特許文献１に記載の発明では、腕部が縦樋の外周部全体を包囲する構成になっているが、縦樋の垂直方向の支持は依然として縦樋と縦樋支持具との当接面における摩擦によりなされているので、上記問題は解決されていない。
【００１７】
そこで、本発明では、取り付け施工後の縦樋の滑り落ちによる接合部の外れを防止する縦樋支持構造を提供することを目的としている。
【課題を解決するための手段】
【００１８】
上記目的を達成するために請求項１に記載の発明は、建物の外壁に固定された縦樋支持具とそれに支持された縦樋を有する縦樋支持構造であって、前記縦樋の、前記縦樋支持具の腕部上端に接する位置に縦樋係止部材が接着固定されている縦樋支持構造を特徴としている。
【発明の効果】
【００１９】
本発明の請求項１に記載の縦樋支持構造では、縦樋が縦樋係止部材を介して縦樋支持具に係止されるので、縦樋は縦樋支持具から滑り落ちることがなく、縦樋上部の接合部の外れを防止できる。
【００２０】
また、縦樋と縦樋支持具とは直接接着されず、縦樋は縦樋支持具に着脱可能であるため、縦樋係止部材の接着後であっても容易に縦樋のメンテナンス作業ができる。
【発明を実施するための最良の形態】
【００２１】
以下、本発明に係る実施の形態を実施例に基づいて説明する。
【実施例１】
【００２２】
〈構成〉
図１（ａ）において、符号１３は建物の外壁、符号１４は外壁１３に沿って配設された呼び樋である。
【００２３】
呼び樋１４は雨水の流れをスムーズにするために、その下流側端部が上流側端部に比べ僅かに低くなるように配設される。
【００２４】
図１（ａ）に示すように、呼び樋１４の下流側端部にはターンエルボ１５が取り付けられている。
【００２５】
ターンエルボ１５は上部材１５ａと下部材１５ｂとによって構成されており、上部材１５ａと下部材１５ｂとは回転嵌合部（図示省略）を介して回転可能かつ係脱可能に結合されている。
【００２６】
呼び樋１４の下流側端部はターンエルボ１５の上部材１５ａに接着嵌合されており、下部材１５ｂには縦樋１６の上端部が嵌合接続されている。
【００２７】
この縦樋１６の下端部には、連結ソケット（図示省略）などにより、さらに縦樋１６が接続されてもよい。
【００２８】
最下端に接続されている縦樋１６の下端部には配水管カバー１７が取り付けられており、配水管カバー１７の下端部から排水される雨水は下水口などに排水される。
【００２９】
呼び樋１４は外壁１３に沿って地面に垂直に配設されており、縦樋１６の配設方向に沿って外壁１３に固定された複数の縦樋支持具１８によって支持されている。
【００３０】
図１（ｂ）に示すように、縦樋１６は、その伸びる方向横断面形状が略トラック形状を呈しており、一対の湾曲する周壁の中央にはそれぞれ嵌合溝１６ａ，１６ａが形成されている。
【００３１】
また、縦樋支持具１８は、ネジ（図示省略）により外壁１３に固定された固定部１８ａと、固定部１８ａから延びる一対の腕部１８ｂ，１８ｂとを有しており、腕部１８ｂ，１８ｂの先端部には爪部１８ｃ，１８ｃが対向して内側に向かって延びている。
【００３２】
腕部１８ｂ，１８ｂは適度な弾性を有しており、爪部１８ｃ，１８ｃの間の隙間に縦樋１６を押し込むと、腕部１８ｂ，１８ｂは縦樋１６によって押し広げられて拡開し、
爪部１８ｃ，１８ｃが縦樋１６の嵌合溝１６ａ，１６ａにそれぞれ嵌合するので、腕部１８ｂ，１８ｂが縦樋１６を抱え込んだ状態で縦樋１６は支持されている。
【００３３】
〈縦樋係止部材の構成〉
図２において、符号１９は本実施例に係る縦樋係止部材であり、縦樋係止部材１９は平面視略Ｃ字形状を呈した樹脂製の一体形成品である。
【００３４】
縦樋係止部材１９は、角柱状の背面側当接部１９ａと、背面側当接部１９ａの両端部から同じ側に延びる一対の腕部１９ｂ，１９ｂとを有しており、腕部１９ｂ，１９ｂの先端部には爪部１９ｃ，１９ｃが対向して内側に向かって延びている。
【００３５】
腕部１９ｂ，１９ｂは適度な弾性を有しており、爪部１９ｃ，１９ｃの間の隙間に縦樋１６を押し込むと、腕部１９ｂ，１９ｂは縦樋１６によって押し広げられて拡開した後に、爪部１９ｃ，１９ｃが縦樋１６の嵌合溝１６ａ，１６ａにそれぞれ嵌合するので、縦樋係止部材１９は縦樋１６を抱え込んだ状態で縦樋１６に装着される。
【００３６】
縦樋係止部材１９は、縦樋１６に装着されると、縦樋１６の一方の嵌合溝１６ａから他方の嵌合溝１６ａに至る外周の略半周部分に当接する。
【００３７】
〈縦樋支持方法〉
まず、縦樋１６を複数の縦樋支持具１８に嵌合させた状態で縦樋１６を垂直方向に移動させて縦樋１６の高さ位置を決める。
【００３８】
そして、図３（ａ）に示すように、縦樋係止部材１９を、背面側当接部１９ａを下にして立てた状態で、外壁１３と縦樋１６との隙間の縦樋支持具１８上側に挿入し、背面側当接部１９ａを縦樋支持具１８の固定部１８ａの上部に当接させる。
【００３９】
次に、縦樋係止部材１９を背面側当接部１９ａを軸として腕部１９ｂ，１９ｂ側を軒先側に回転させつつ腕部１９ｂ，１９ｂの隙間に縦樋１６を挿入させ、縦樋１６を抱え込んだ状態で縦樋１６に縦樋係止部材１９を装着する。
【００４０】
そして、図３（ｂ）に示すように、縦樋支持具１８の上部に縦樋係止部材１９を当接させた状態で縦樋１６の周壁と腕部１９ｂ，１９ｂとの当接部の隙間に接着剤Ｂを流し込むようにして塗布し、接着剤Ｂが乾いたら縦樋係止部材１９の取り付けを完了する。
【００４１】
〈縦樋支持構造〉
本実施例の縦樋支持構造では、図３（ｃ）に示すように、縦樋１６を装着した縦樋支持具１８の上部に縦樋係止部材１９を当接させた状態で縦樋１６と縦樋係止部材１９とを接着することにより、縦樋１６が縦樋係止部材１９を介して縦樋支持具１８に係止される。
【００４２】
〈作用効果〉
図３（ｃ）に示すように、縦樋１６が縦樋係止部材１９を介して縦樋支持具１８に係止されるので、縦樋１６は縦樋支持具１８から滑り落ちることがなく、縦樋１６の上部に接続されたターンエルボ１５の接合部の外れを防止できる。
【００４３】
また、縦樋１６と縦樋支持具１８とは直接接着されず、縦樋１６は縦樋支持具１８に着脱可能となっているので、縦樋係止部材１９の接着後であっても容易に縦樋１６のメンテナンス作業ができる。
【００４４】
しかも、縦樋係止部材１９を縦樋支持具１８の上部に当接させた状態で縦樋１６と縦樋係止部材１９との隙間に接着剤を塗布するので、接着剤が不必要に縦樋１６の表面に付着することがなく、乾いた接着剤により縦樋１６を汚すことがない。
【００４５】
さらに、縦樋１６の上下方向の位置決め後に縦樋係止部材１９を接着できるので、縦樋１６を所望の位置に位置決めすることができる。
【００４６】
そして、縦樋係止部材１９を、背面側当接部１９ａを下にして立てた状態で、外壁１３と縦樋１６との隙間に挿入して縦樋１６に装着するので、外壁１３と縦樋１６との隙間が小さくても縦樋係止部材１９の取り付け施工が可能である。
【実施例２】
【００４７】
以下、実施例２について、実施例１とは異なる部分を中心に説明する。なお、実施例１と同様の部分については説明を省略し、符号については同一ないし均等な部分には同一の符号を付すものとする。
【００４８】
〈構成〉
図４または図５において、符号１４Ａ，１４Ｂは呼び樋、符号１５’はエルボ、符号２０は短管、符号２１は短管２０用の支持具、符号２２は合わせマスである。
【００４９】
図５に示すように、呼び樋１４Ａ，１４Ｂの下流側端部には、ターンエルボ１５とエルボ１５’とを介して、短管２０，２０がそれぞれ接続されており、短管２０，２０はそれぞれ縦樋支持具２１，２１により外壁１３に固定されている。
【００５０】
短管２０，２０の下端部は、合わせマス２２の上部開口に挿入されており、合わせマス２２の下端部の接合部には縦樋１６を接続されている。
【００５１】
この縦樋１６の下端部には、連結ソケット（図示省略）などにより、さらに縦樋１６が接続されてもよい。
【００５２】
最下端に接続されている縦樋１６の下端部には配水管カバー１７が取り付けられており、配水管カバー１７の下端部から排水される雨水は下水口などに排水される。
【００５３】
縦樋１６は外壁１３に固定された複数の縦樋支持具１８に支持されており、縦樋係止部材１９が縦樋支持具１８の上部に当接させた状態で装着され、縦樋１６の周壁と腕部１９ｂ，１９ｂとの当接部の隙間に接着剤Ｂが塗布されて、縦樋１６と縦樋係止部材１９とは接着固定されている。
【００５４】
〈縦樋支持構造〉
本実施例の縦樋支持構造では、図５に示すように、縦樋１６を装着した縦樋支持具１８の上部に縦樋係止部材１９を当接させた状態で、縦樋１６と縦樋係止部材１９とが接着されているので、縦樋１６が縦樋係止部材１９を介して縦樋支持具１８に係止される。
【００５５】
〈作用効果〉
本実施例では比較的重量の大きい合わせマス２２を使用しており、しかも、合わせマス２２自体は外壁１３に直接固定されておらず、縦樋１６が合わせマス２２の重量により滑り落ち易くなっている。
【００５６】
このため、本発明の縦樋支持構造を適用することにより、縦樋１６が縦樋係止部材１９を介して縦樋支持具１８に係止されるので、縦樋１６は縦樋支持具１８から滑り落ちることがなく、短管２０，２０の下端部が合わせマス２２の上部開口から外れるのを防止できる。
【００５７】
以上、図面を参照して、本発明の最良の実施の形態を詳述してきたが、具体的な構成は、この実施の形態に限らず本発明の要旨を逸脱しない程度の設計的変更は本発明に含まれる。
【００５８】
本実施例の縦樋１６は、その断面形状が略トラック形状であるが、縦樋の形状はどのようなものであってもよい。例えば、断面形状が丸形、あるいは角形であっても、縦樋係止部材の形状を縦樋の外周面形状に合わせることにより対応できる。
【図面の簡単な説明】
【００５９】
【図１】実施例１の縦樋支持構造を示す図であり、図（ａ）は実施例１に係る建物の軒先部分の部分破断図、図（ｂ）は図（ａ）のＢ−Ｂ断面の断面図である。
【図２】実施例１および実施例２に係る縦樋係止部材の斜視図である。
【図３】実施例１に係る縦樋係止部材の取り付け施工を説明するための側断面図である。
【図４】実施例２に係る建物の軒先部分の部分破断図であり、樋の分解斜視図である。
【図５】実施例２に係る建物の軒先部分の部分破断図であり、縦樋係止部材の取り付けが完了した状態の斜視図である。
【図６】従来例の縦樋支持構造を示す図であり、図（ａ）は従来例に係る建物の軒先部分の部分破断図、図（ｂ）は図（ａ）のＡ−Ａ断面の断面図、図（ｃ）は従来例の縦樋支持構造の問題点を説明するための図である。
【符号の説明】
【００６０】
１３                    外壁
１６                    縦樋
１８                    縦樋支持具
１９                    縦樋係止部材
１９ｂ，１９ｂ          腕部
【図１】
2009281071.tif 000003
【図２】
2009281071.tif 000004
【図３】
2009281071.tif 000005
【図４】
2009281071.tif 000006
【図５】
2009281071.tif 000007
【図６】
2009281071.tif 000008